(57)【特許請求の範囲】
【請求項１】
顔面から所定の間隔を保持して口及び鼻の前面に配置される保護ガードであって、
中央部に所定の間隔を保持して前後に配置された複数のガード板により構成され、
前記複数のガード板はそれぞれ中央部が前面側に凸状に膨らんだ形状を有し、
前記複数のガード板の中の顔に最も近い最後部のガード板は少なくとも1つの穴を有し、
口及び鼻からの呼気及び吸気の外部への通路が前記複数のガード板と顔面との間に確保され、
前記複数のガード板により口及び鼻から放出される飛沫の前方への飛散を防ぐとともに、前記複数のガード板に前記飛沫を付着させることにより、前記飛沫の周囲への拡散を減少させることを特徴とする保護ガード。
【請求項２】
３枚以上の前記ガード板を有し、最前部のガード板以外は前記飛沫が通過する少なくとも1つ以上の穴を有することを特徴とする請求項１に記載の保護ガード。
【請求項３】
前記最後部のガード板とその前面に配置されたガード板は、周縁部において閉じられていることを特徴とする請求項1又は２に記載の保護ガード。
【請求項４】
前記複数のガード板の周縁部の少なくとも一部が開放となるか、又は前記最前部のガード板に少なくとも１つの穴を有することにより、前記最後部のガード板と顔面との間の間隙以外に、前記口及び鼻から排気される空気の外部への通路が形成されていることを特徴とする請求項１乃至３のいずれか１項に記載の保護ガード。
【請求項５】
前後に互いに隣接しそれぞれ穴を有する２つの前記ガード板を有し、該２つのガード板の穴の位置は互いに異なるように設定され、該２つのガード板のうち前側のガード板は後側のガード板の穴の前面部分において、前記後側のガード板に対して傾斜を有するように設定されていることを特徴とする請求項1乃至４のいずれか１項に記載の保護ガード。
【請求項６】
請求項１乃至５のいずれか１項に記載の保護ガードと、該保護ガードを顔面から所定の間隔を保持して頭部又は耳又は首に固定する装着部と、により構成されることを特徴とする保護マスク。
【請求項７】
請求項１乃至５のいずれか１項に記載の保護ガードと、該保護ガードの最後部のガード板の中央部の顔面側に固定されたマイクロホンとを有することを特徴とする保護ガード付きマイクロホン。
【請求項８】
前記マイクロホンは、手で保持することが可能な保持棒の先端に設置されたマイクロホンであって、前記保護ガードは、該保護ガードの中央を貫通する前記保持棒に固定されていることを特徴とする請求項７に記載の保護ガード付きマイクロホン。
【発明の詳細な説明】
【技術分野】
【０００１】
本発明は、呼吸や発声時に口や鼻から放出される飛沫の周囲への放散を防止するための保護ガード及びその保護ガードを用いた保護マスク及び保護ガード付きマイクロホンに関する。
【背景技術】
【０００２】
最近、新型コロナウィルスに対する感染防止対策が非常に重要となっており、感染者の口や鼻から放出されるウィルスを含む可能性がある飛沫の付着を防止し、また、自分が感染していた場合に自分から発散される飛沫の拡散を防止するためのマスク着用の必要性が広く認識されている。特に、対面での発声を必要とする場合は、発声を妨げないように口及び鼻の前面に配置されるフェイスガード等が使用されることが多い。従来のフェイスガードの一例が特許文献１に記載されている。
【先行技術文献】
【特許文献】
【０００３】
【特許文献１】登録実用新案第３２２７０６７号公報
【発明の概要】
【発明が解決しようとする課題】
【０００４】
従来のフェイスガードは、新型コロナウィルス対策に必要とされる以前は、医療現場用や工業用が主要な用途であって、外部から自分の顔面に向かってくる危険な飛沫などを防御することを主な目的としていた。このため、自分の口や鼻から発生する飛沫の周囲への拡散を防ぐ目的には十分な機能が得られていなかった。すなわち、発声時などにおいて、自分から発生する飛沫がフェイスガードと顔面との間から周囲に拡散することが広く認識されるようになったが、この飛沫の拡散を十分に防ぐことができるフェイスガードは得られていない。
【０００５】
そこで、本発明は、係る問題を解決するためになされたものであり、従来のフェイスガードに比べて、自分から放出される飛沫の周囲への拡散を減少させることが可能な保護ガード、その保護ガードを用いた保護マスク及び保護ガード付きマイクロホンを提供することを目的とする。
【課題を解決するための手段】
【０００６】
第１の観点では、本発明は、顔面から所定の間隔を保持して口及び鼻の前面に配置される保護ガードであって、中央部に所定の間隔を保持して前後に配置された複数のガード板により構成され、前記複数のガード板はそれぞれ中央部が前面側に凸状に膨らんだ形状を有し、前記複数のガード板の中の顔に最も近い最後部のガード板は少なくとも1つの穴を有し、口及び鼻からの呼気及び吸気の外部への通路が前記複数のガード板と顔面との間に確保され、前記複数のガード板により口及び鼻から放出される飛沫の前方への飛散を防ぐとともに、前記複数のガード板に前記飛沫を付着させることにより、前記飛沫の周囲への拡散を減少させることを特徴とする保護ガードを提供する。
【０００７】
本観点の発明の保護ガードでは、先ず、保護ガードを顔面に密着させるのではなく、所定の間隔、例えば、顔面から数センチ離すことにより、保護ガードを装着したままで発声が容易となり、かつ、飲食も可能となる。また、通常のマスク装着時の息苦しさからも解放される。
【０００８】
本発明の保護ガードは、それぞれ中央部が前面側に凸状に膨らんだ形状を有し、所定の間隔を保持して前後に配置された複数のガード板より構成される。例えば、保護ガードを、複数の穴を有する最後部の第１のガード板と、真中に配置された複数の穴を有する第２のガード板と、最前部の第３のガード板とからなる３つのガード板により構成した場合、口や鼻から放出される飛沫は、最初に最も手前にある第１のガード板に入る。その飛沫の一部は第１のガード板の内壁に貼りつき、一部は第１のガード板に開けられた穴を通過して次の第２のガード板の内側へと移動し、残りは顔面との間の隙間より外部に放出される。第２のガード板へ移動した飛沫の一部は第２ガード板の内壁及び第１のガード板の外壁に貼りつき、一部は第１のガード板と第２のガード板との間に留まり、一部は第２のガード板の穴を通過して第３のガード板の内側へと移動し、残りは第１のガード板と第２のガード板との間と顔面との間の隙間より外部に放出される。第３のガード板へ移動した飛沫の一部は第３ガード板の内壁及び第２のガード板の外壁に貼りつき、一部は第２のガード板と第３のガード板との間に留まり、残りは第２のガード板と第３のガード板との間と顔面との間の隙間より外部に放出される。
以上のように、口や鼻から放出される飛沫の一部は各ガード板の内壁、外壁に貼りつき、一部はガード板間に溜まり、一部は顔面との間の隙間から外部へ放出されるが、その飛沫は各ガード板を通過するたびに、拡散力を奪われて分散することにより、放出された飛沫は、遠方への拡散を妨げられ保護ガード付近を漂うことになる。また、一部のエアロゾル化した飛沫も分散され、その量が減少するため、周囲の空中での濃度が薄まる。
【０００９】
本発明の保護ガードにおいて、ガード板の素材は、通常のマスクに使われる不織布や布、ガーゼ、紙、透明なアクリル板など様々な素材が可能であるが、通常のマスクやフェイスガードに比べ、各ガード板の内壁、外壁が複数あることで、飛沫が貼りつく表面積が大きくなる。このガード板の素材として、内壁、外壁に凹凸のある素材やカーペットのような毛足の長い繊維、ネットなどを使用することで、飛沫が貼りつく表面積をさらに増やすことも可能となる。
【００１０】
また、ガード板に設ける穴の数やその大きさ、穴の位置もある程度任意に設定可能であるが、第２のガード板の穴の位置は、第１のガード板の穴の位置と異なる方が望ましい。同じ位置にある場合は、飛沫は単に２つの穴を直進して通過して第３のガード板へと移動するため、穴の意味が薄れてしまう。すなわち、本発明の保護ガードにおいて、隣り合うガード板が穴を有する場合は、飛沫が直進して進まないように穴の位置は互いに異なるように設定することが望ましい。
【００１１】
本発明のガード板の形状は中央部が前面側に凸状に膨らんだ形状であるが、例えば、顔面側に開放された逆Ｕ字に近い形状等のように、ガード板の間から外へと放出される飛沫が自分の顔面側に放出されるような形状を用いることにより、自分が放出した飛沫が他者に届くことをさらに軽減させることができる。この場合、各ガード板の大きさは、外側ほど大きな形状としてもよい。なお、ガード板の形状としては、円錐形状、球面形状など真中が凸に膨らんだ任意の形状が可能である。
【００１２】
複数のガード板の連結方法は様々な方法が可能であり、例えば、複数のガード板を貫通し各ガード板を保持固定する構造を有する１つ又は複数の固定部材を使用する方法等がある。保護ガードを用いた保護マスクを構成する場合は、保護ガードの上記の固定部材に従来のフェイスマスクと同様な頭部や耳等への装着具を固定すればよい。この場合、フェイスマスク等と同様に、顔面から所定の間隔を保って保護マスクを固定する手段が必要である。
また、カラオケ用のマイクロホンの棒の部分を保護ガードの中央を貫通させ、その保護ガードの前方に突き出た部分を手で保持するようにすれば、カラオケ用の飛沫防止の保護ガードとなる。一般の講演や舞台上などで用いられるマイクロホンについても、マイクロホンを囲むように保護ガードを設置すれば、飛沫防止に有効である。
【００１３】
第２の観点では、本発明は、第１の観点の保護ガードにおいて、３枚以上の前記ガード板を有し、最前部のガード板以外は前記飛沫が通過する少なくとも1つ以上の穴を有することを特徴とする。前述のように、本観点の発明の保護ガードにおいて、ガード板に設ける穴の数や形状は任意に設置できるが、隣り合うガード板が穴を有する場合は、飛沫が直進して進まないように穴の位置は互いに異なるように設定することが望ましい。
【００１４】
第３の観点では、本発明は、第１又は第２の観点の保護ガードにおいて、前記最後部のガード板とその前面に配置されたガード板は、周縁部において閉じられていることを特徴とする。本観点の発明においては、顔面の一番近くに配置された第１のガード板とその前に配置された第２のガード板の縁部がすべて閉じられていることにより、第１のガード板と第２のガード板の間に拡散した飛沫が、それらの縁部より顔面側に漏れて出てくるのが妨げられる。この場合、その飛沫は第２のガード板に開けられた穴からその前に配置されたガード板、例えば第３のガード板との間に進行する。第１のガード板を通過する飛沫の量が多い場合には、周縁部を閉じることにより第１のガード板と第２のガード板の間でのその飛沫の付着量を増やすことができ、その前側のガード板への拡散を減らすことができる。
【００１５】
第４の観点では、本発明は、第１乃至第３の観点の保護ガードにおいて、前記複数のガード板の周縁部の少なくとも一部が開放となるか、又は前記最前部のガード板に少なくとも１つの穴を有することにより、前記最後部のガード板と顔面との間の間隙以外に、前記口及び鼻から排気される空気の外部への通路が形成されていることを特徴とする。飛沫を含んだ口や鼻から排気される空気の前方への通路が塞がっている場合、空気の流れが妨げられ、空気を前方に拡散して前方のガード板に飛沫を付着させるという本発明の効果が妨げられてしまう。本観点の発明は、空気の外部への通路を形成することにより、前側のガード板にも飛沫を付着させるとともに、空気が最後部のガード板と顔面との間に逆流して戻ることを防ぐものである。
【００１６】
第５の観点では、本発明は、第１乃至第４の観点の保護ガードにおいて、前後に互いに隣接しそれぞれ穴を有する２つの前記ガード板を有し、該２つのガード板の穴の位置は互いに異なるように設定され、該２つのガード板のうち前側のガード板は後側のガード板の穴の前面部分において、前記後側のガード板に対して傾斜を有するように設定されていることを特徴とする。飛沫を含んだ空気がガード板の穴を通過して前側のガード板に向かうとき、前述のように、その空気がその前側のガード板をそのまま通過してしまわないように前側のガード板の穴の位置は異なるように設定することが望ましい。さらに、本観点の発明では、穴の前側のガード板は、その穴の前面部分において、前記後側のガード板に対して傾斜を有するように設定することにより、穴を通過した空気が前側のガード板で正反射してその穴に戻って来るのを防ぐことができる。
【００１７】
第６の観点では、本発明は、前記第１乃至第５の観点の保護ガードと、該保護ガードを顔面から所定の間隔を保持して頭部又は耳又は首に固定する装着部と、により構成されることを特徴とする保護マスクを提供する。本発明の保護ガードを使用して個人用の保護マスクを構成する場合、例えば、複数のガード板を固定する固定部材に従来のフェイスマスクと同様な頭部や耳等への装着具を固定すればよい。
【００１８】
第７の観点では、本発明は、前記第１乃至第５の観点の保護ガードと、該保護ガードの最後部のガード板の中央部の顔面側に固定されたマイクロホンとを有することを特徴とする保護ガード付きマイクロホンを提供する。カラオケや、講演、舞台上などで用いられるマイクロホンについても、マイクロホンを囲むように保護ガードを設置すれば、飛沫防止に有効である。
【００１９】
第８の観点では、本発明は、第７の観点の保護ガード付きマイクロホンにおいて、前記マイクロホンは、手で保持することが可能な保持棒の先端に設置されたマイクロホンであって、前記保護ガードは、該保護ガードの中央を貫通する前記保持棒に固定されていることを特徴とする。カラオケや司会、講演等においては、棒状の取手付きのマイクロホンが使用されることが多くあり、その場合、その棒状の取手のマイクロホン側に、マイクロホンを囲むように保護ガードを固定することにより、マイクロホンに向かって発声するときの飛沫を保護ガードにより効率的に捕獲し、飛沫の周囲への拡散を低減することができる。
【発明の効果】
【００２０】
上記のように、本発明により、従来のフェイスガードに比べて、自分から放出される飛沫の周囲への拡散を減少させることが可能な保護ガード、その保護ガードを用いた保護マスク及び保護ガード付きマイクロホンが得られる。
【図面の簡単な説明】
【００２１】
【図１】本発明の実施例１に係る保護ガード及びその保護ガードを使用した保護マスクの概略を示す図であり、図１（ａ）及び（ｂ）はそれぞれ保護ガードの正面図及び側面図、図１（ｃ）、（ｄ）及び（ｅ）はそれぞれ、保護ガードを構成する第１、第２及び第３のガード板の正面図、図１（ｆ）は保護マスクを顔の前面に装着したときの側面図。
【図２】実施例２に係る保護ガードの概略を示す図であり、図２（ａ）及び（ｂ）はそれぞれ保護ガードの正面図及び側断面図。
【図３】実施例３に係る保護ガード付きマイクロホンの概略を示す図であり、図３（ａ）は保護ガード付きマイクロホンの模式的な側断面図、図３（ｂ）、（ｃ）、（ｄ）、（ｅ）、（ｆ）はそれぞれ、保護ガードを構成する第１、第２、第３、第４及び第５のガード板の正面図。
【図４】本実施例の保護ガード付きマイクロホンを手で保持したときの斜視図。
【図５】実施例４に係る保護ガード付きマイクロホンの概略を示す図であり、図５（ａ）は保護ガード付きマイクロホンの模式的な側断面図、図５（ｂ）、（ｃ）、（ｄ）はそれぞれ、保護ガードを構成する第１、第２、第３のガード板を構成するための平板パターンを示す概略図。
【図６】実施例５に係る保護ガードの概略を示す図であり、図６（ａ）及び（ｂ）はそれぞれ、保護ガードの模式的な斜視図及び側面図、図６（ｃ）、（ｄ）、（ｅ）はそれぞれ、保護ガードを構成する３つのガード板を構成するための平板パターンを示す概略図。
【発明を実施するための形態】
【００２２】
以下、図面を参照して本発明の保護ガード及び保護マスク及び保護ガード付きマイクロホンを実施例により詳細に説明する。なお、図面の説明において同一の要素には同一符号を付し、その重複した説明を省略する。
【実施例１】
【００２３】
図１は、本発明の実施例１に係る保護ガード及びその保護ガードを使用した保護マスクの概略を示す図であり、図１（ａ）及び（ｂ）はそれぞれ保護ガードの正面図及び側面図、図１（ｃ）、（ｄ）及び（ｅ）はそれぞれ、保護ガードを構成する第１、第２及び第３のガード板の正面図、図１（ｆ）は保護マスクを顔の前面に装着したときの側面図を示す。
【００２４】
図１において、本実施例の保護ガード１０は、顔面から所定の間隔で口及び鼻の前面に配置される保護ガードであって、所定の間隔を保持して前後に配置された３個のガード板、すなわち、第１のガード板であるガード板１１、第２のガード板であるガード板１２、第３のガード板であるガード板１３により構成されている。ガード板１１、１２、１３は、それぞれ中央部が前面側に凸状に膨らんだお椀型の形状を有している。それらのガード板の中の顔に最も近いガード板１１は図１（ｃ）に示すように４つの楕円状の穴１１ａを有し、真中のガード板１２も図１（ｄ）に示すように４つの楕円状の穴１２ａを有している。
【００２５】
本実施例においては、３つのガード板１１、１２、１３を間隔を開けて保持固定して保護ガード１０を構成するため、４つの固定部材１５を使用している。また、保護ガード１０を用いて保護マスク１６を構成するため、図１（ｆ）に示すように、保護ガード１０の左右両側の固定部材１５に従来のマスクやフェイスマスクと同様な耳へ掛けるための装着バンド１７を固定している。さらに、顔面から所定の間隔を保って保護マスクを顔の前面に固定するため、鼻部スペーサ１８と顎部スペーサ１９をそれぞれ鼻部と顎部に押し当てるように構成している。この場合、装着バンドの固定場所や顎部スペーサの構造を変更すれば、従来の一部のフェイスマスクと同様に鼻部スペーサを不要とすることも可能である。
【００２６】
本実施例の保護ガード１０及び保護マスク１６において、口や鼻から放出される飛沫は、最初にガード板１１に入る。その飛沫の一部はガード板１１の内壁に貼りつき、一部はガード板１１に開けられた穴１１ａを通過して次のガード板１２の内側へと移動し、残りは顔面との間の隙間より外部に放出される。ガード板１２へ移動した飛沫の一部はガード板１２の内壁及びのガード板１１の外壁に貼りつき、一部はガード板１１とガード板１２との間に留まり、ガード板１２の穴１２ａを通過してガード板１３の内側へと移動し、残りはガード板１１とガード板１２との間と顔面との間の隙間より外部に放出される。ガード板１３へ移動した飛沫の一部はガード板１３の内壁及びガード板１２の外壁に貼りつき、一部はガード板１２とガード板１３との間に留まり、残りはガード板１２とガード板１３との間と顔面との間の隙間より外部に放出される。
【００２７】
以上のように、口や鼻から放出される飛沫の一部は各ガード板の内壁、外壁に貼りつき、一部はガード板間に溜まり、一部は顔面との間の隙間から外部へ放出されるが、その飛沫は各ガード板を通過するたびに、拡散力を奪われて分散することにより、遠方への拡散を妨げられ保護ガード付近を漂うことになる。また、本実施例では、各ガード板の大きさは、外側ほど大きな形状とし、ガード板の間から外へと放出される飛沫が自分の顔面側に放出されるような形状であるので、自分が放出した飛沫が他者に届くことをさらに軽減させることができる。
【００２８】
また、本実施例では、図１（ｃ）、（ｄ）に示すように、ガード板１１の穴１１ａの位置が、ガード板１２の穴１２ａの位置と異なるように設定することにより、ガード板１１の穴１１ａを通過した飛沫を含んだ空気がガード板１２をそのまま通過するのを妨げている。
【００２９】
なお、本実施例の保護ガード１０において、ガード板１１、１２、１３の素材は、通常のマスクに使われる不織布や布、紙、アクリル板など様々な素材が可能である。紙や布等を用いる場合、それだけでガード板の形態が保持できる素材が望ましいが、形態を保持できないような柔らかな素材の場合は、必要に応じて筋交い等の補強部材を用いてもよい。
【実施例２】
【００３０】
図２は、本発明の実施例２に係る保護ガードの概略を示す図であり、図２（ａ）及び（ｂ）はそれぞれ保護ガードの正面図及び側断面図である。図２において、本実施例の保護ガード２０は、顔面から所定の間隔で口及び鼻の前面に配置される保護ガードであって、所定の間隔を保持して前後に配置された２個のガード板、すなわち、第１のガード板であるガード板２１、第２のガード板であるガード板２２により構成されている。ガード板１１、１２は、それぞれ中央部が前面側に凸状に膨らんだお椀型の形状を有している。顔の最も近くに配置されるガード板１１は図２に示すように中央に円形状の穴２１ａを有している。本実施例においても、ガード板２１とガード板２２を所定の間隔で保持固定するための４つの固定部材２５を使用する。
【００３１】
本実施例においては、ガード板２１及びガード板２２の素材として、内壁、外壁に凹凸のある素材を用いている。例えば、表面を皴状にした紙やプラスチック、毛足の長い繊維や表面を荒らした板状素材である。これにより、保護ガード内の空気の流速を減少させるとともに、飛沫が付着する表面積を大きくし、飛沫が保護ガードの外部に拡散されるのを防ぐことができる。
【実施例３】
【００３２】
図３及び図４は、本発明の実施例３に係る保護ガード付きマイクロホンの概略を示す図である。図３（ａ）は保護ガード付きマイクロホンの模式的な側断面図であり、図３（ｂ）、（ｃ）、（ｄ）、（ｅ）、（ｆ）はそれぞれ、保護ガードを構成する第１、第２、第３、第４及び第５のガード板を図３（ａ）の左側から見たときの正面図である。図４は、本実施例の保護ガード付きマイクロホンを手で保持したときの斜視図である。
【００３３】
図３において、本実施例の保護ガード付きマイクロホン３０に使用されるマイクロホン３１は手で保持することが可能な保持棒３２の先端に設置されたマイクロホンであって、保護ガード３８は、第１〜第５の５枚のガード板、すなわち、ガード板３３、３４、３５、３６、３７から構成され、保護ガード３８の中央を貫通する保持棒３２に固定されている。５枚のガード板３３〜３７は、それぞれ互いに傾斜角度が異なる円錐形状を有し、その中央の頂点部に穴を有している。
【００３４】
顔面側の最後部に配置されるガード板３３は、中央部に大きな穴３３ａを有し、周縁部はより鋭角の傾斜を有するその前のガード板３４の周縁部に固定されている。これによりガード板３３とガード板３４の周縁部は閉じられている。ガード板３４は、保持棒３２が貫通し保持棒３２に固定される中央部の穴３４ａと、飛沫が通過する横幅の大きな穴３４ｂとを有している。ガード板３５は中央部にガード板３４に外接する大きな穴３５ａを有し、ガード板３４の穴３４ｂの位置が穴３５ａの内側となるように構成されている。ガード板３５は、より鋭角の傾斜を有するその前のガード板３６の周縁部に固定されている。これによりガード板３５とガード板３６の周縁部は閉じられている。さらに、ガード板３６の周縁部は、より鋭角の傾斜を有するその前のガード板３７の周縁部にも固定され、ガード板３６とガード板３７の周縁部も閉じられている。ガード板３６は、保持棒３２が貫通し保持棒３２に固定される中央部の穴３６ａと、飛沫が通過する周辺部の横幅の大きな穴３６ｂとを有している。最前部のガード板３７は、保持棒３２が貫通し保持棒３２に固定される中央部の穴３７ａと、口及ぶ鼻から排気される空気の外部への通路となる４つの小さな穴３７ｂとを有している。
【００３５】
例えば、カラオケなどにおいて、本実施例の保護ガード付きマイクロホン３０を使用すれば、マイクロホン３１に口を近づけて発声した場合、口や鼻から発生する飛沫を含んだ空気は、５枚のガード板３３〜３７を通過する際にその内壁や外壁に飛沫が付着し、その空気の動きも減少するため、穴３７ｂや顔と保護ガード３８の隙間などから保護ガード３８の外部に漏れてくる飛沫を大幅に減少させることができる。
【実施例４】
【００３６】
図５は、本発明の実施例４に係る保護ガード付きマイクロホンの概略を示す図であり、図５（ａ）は保護ガード付きマイクロホンの模式的な側断面図であり、図５（ｂ）、（ｃ）、（ｄ）はそれぞれ、保護ガードを構成する３枚のガード板を構成するための平板パターンを示す概略図である。本実施例の保護ガード付きマイクロホン４０は、実施例３と同様に、手で保持することが可能な保持棒３２の先端にマイクロホン３１が設置されたマイクロホンであって、保護ガード４１は、３枚のガード板４２、４３、４４から構成され、保護ガード４１の中央を貫通する保持棒３２に固定されている。３枚のガード板４２、４３、４４は、実施例３と同様に、それぞれ互いに傾斜角度が異なる円錐形状を有し、その中央の頂点部に穴を有している。
【００３７】
本実施例においては、ガード板４２、４３、４４は、それぞれ、円盤を基本形状として扇型の切込みを有する平板パターン４５、４６、４７を使用して組み立てられる。平板パターン４５は、図５（ｂ）に示すように、ドーナツ型の円盤に切込みを入れた平板形状を有し、切込みの端部４５ｓと４５ｔを貼り合わせることにより、中央に穴パターン４５ａから構成される大きな穴を有する傾斜が少ない円錐状のガード板４２が形成される。平板パターン４６は、図５（ｃ）に示すように、中央の穴パターン４６ａ、周辺部の幅の広い穴パターン４６ｂを有する円盤に切込みを入れた平板形状を有し、切込みの端部４６ｓと４６ｔを貼り合わせることにより、中央に穴パターン４６ａから構成される保持棒３２が貫通し保持棒３２に固定される穴を有し、周辺部に穴パターン４６ｂから構成される幅の広い穴を有し、傾斜がガード板４２より大きな円錐状のガード板４３が形成される。平板パターン４７は、図５（ｄ）に示すように、中央の穴パターン４７ａと小さな４つの穴パターン４７ｂを有する円盤に切込みを入れた平板形状を有し、切込みの端部４７ｓと４７ｔを貼り合わせることにより、中央に穴パターン４７ａから構成される保持棒３２が貫通し保持棒３２に固定される穴を有し、小さな４つの穴パターン４７ｂから構成され外部への空気の通路となる４つの小さな穴を有し、傾斜がガード板４３より大きな円錐状のガード板４４が形成される。また、図５（ａ）に示すように、保護ガード４１においては、ガード板４２、４３及び４４の周縁部は互いに閉じられている。
【００３８】
本実施例においては、ガード板４２、４３及び４４はそれぞれ平板パターン４５、４６及び４７により作成されるので、アクリルやプラスチック等を用いて金型等により円錐型の形状を最初から形成する場合に比べて、製造コストを大幅に低減することができる。ガード板の素材としては、アクリル、プラスチック、紙、布等、広範な材料を用いることができる。上記の構成において、端部や周縁部等の貼り付けは素材に応じた公知の接着方法等を用いることができる。
【実施例５】
【００３９】
図６は、本発明の実施例５に係る保護ガードの概略を示す図であり、図６（ａ）及び（ｂ）はそれぞれ、保護ガードの模式的な斜視図及び側面図、図６（ｃ）、（ｄ）、（ｅ）はそれぞれ、保護ガードを構成する３つのガード板を構成するための平板パターンを示す概略図である。
【００４０】
図６（ａ）、（ｂ）に示すように、本実施例の保護ガード５０は、それぞれ前面側に凸状に膨らんだ円筒面を有し、前後に所定の間隔で配置されたガード板５１、ガード板５２及びガード板５３により構成されている。また、それらのガード板の上面は半月状の平板５４で、下面は半月状の平板５５で、それぞれ一体として囲われている。
【００４１】
本実施例においては、ガード板５１、５２、５３は、それぞれ、図６（ｃ）、（ｄ）、（ｅ）に示すような平板パターン５６、５７、５８を使用して組み立てられる。図６（ｃ）に示すような平板形状を有し、中央部に穴パターン５６ａを有する平板パターン５６を半円筒状に曲げることにより、上端部５６ｓと下端部５６ｔはそれぞれ平板５４と平板５５に接して貼り付け等により固定され、ガード板５１が構成されるように設定されている。図６（ｄ）に示すような平板形状を有し、４つの楕円状の穴パターン５７ａを有する平板パターン５７は、半円筒状に曲げることにより、上端部５７ｓと下端部５７ｔはそれぞれ平板５４と平板５５に接して貼り付け等により固定され、ガード板５２が構成されるように設定されている。図６（ｅ）に示すような平板形状を有し、外部への空気の通路となる２つの小さな穴パターン５８ａを有する平板パターン５８は、半円筒状に曲げることにより、上端部５８ｓと下端部５８ｔはそれぞれ平板５４と平板５５の円弧状の外周部に接して貼り付け等により固定され、ガード板５３が構成されるように設定されている。上記の端部の貼り付けは素材に応じた公知の接着方法等を用いることができる。
【００４２】
本実施例においては、ガード板５１、５２、５３はそれぞれ平板パターン５６、５７、５８により作成されるので、金型等によりガード板の形状を形成する場合に比べて、製造コストを大幅に低減することができる。ガード板の素材としては、アクリル、プラスチック、紙、布等、広範な材料を用いることができる。
【００４３】
なお、本発明は上記の実施例に限定されるものではないことは言うまでもなく、目的や用途に応じて設計変更可能である。例えば、保護ガードを構成するガード板の形状、ガード板の数、配置方法、ガード板に形成する穴の形状やその数及び配置、ガード板の固定方法、ガード板の素材等、目的に合わせて選択可能である。また、保護ガードの頭部、耳、等への装着方法、保護ガード付きマイクロホンを構成する場合のマイクロホンと保護ガードの配置構造や構成等も目的に合わせて選択可能である。
【符号の説明】
【００４４】
１０，２０，３８，４１，５０    保護ガード
１１，１２，１３，２１，２２，３３，３４，３５，３６，３７，４２，４３，４４，５１，５２，５３    ガード板
１１ａ，１２ａ，２１ａ，３３ａ，３４ａ，３４ｂ，３５ａ，３６ａ，３６ｂ，３７ｂ    穴
１５，２５    固定部材
１６    保護マスク
１７    装着バンド
１８    鼻部スペーサ
１９    顎部スペーサ
３０，４０    保護ガード付きマイクロホン  
３１    マイクロホン
３２    保持棒
４５，４６，４７，５６，５７，５８    平板パターン
４５ａ，４６ａ，４６ｂ，４７ａ，４７ｂ，５６ａ，５７ａ，５８ａ    穴パターン
４５ｓ，４５ｔ，４６ｓ，４６ｔ，４７ｓ，４７ｔ    端部
５４，５５    平板
５６ｓ，５７ｓ，５８ｓ    上端部
５６ｔ，５７ｔ，５８ｔ    下端部    
【要約】
【課題】従来のフェイスガードに比べて、自分から放出される飛沫の周囲への拡散を減少させることが可能な保護ガード、それを用いた保護マスク及び保護ガード付きマイクロホンを提供する。
【解決手段】顔面から所定の間隔で口及び鼻の前面に配置される保護ガード１０であって、所定の間隔を保持して前後に配置された複数のガード板１１、１２、１３により構成され、そのガード板はそれぞれ中央部が前面側に凸状に膨らんだ形状を有し、最後部のガード板１１は少なくとも1つの穴１１ａを有し、複数のガード板により口及び鼻から放出される飛沫の前方への飛散を防ぐとともに、複数のガード板に飛沫を付着させることにより、飛沫の周囲への拡散を減少させる。
【選択図】図１【図１】
0006865943.tif 000002
【図２】
0006865943.tif 000003
【図３】
0006865943.tif 000004
【図４】
0006865943.tif 000005
【図５】
0006865943.tif 000006
【図６】
0006865943.tif 000007